(57)【要約】【課題】複数の発光素子をサークル状に配置したものにおいて、カバー部材の輝度の均一化を図ることが可能な照明装置を提供する。【解決手段】本発明は、略サークル状に配置された複数の発光素子２２を有する光源部２と、この発光素子２２から出射される光が向けられるとともに、前記複数の発光素子２２を所定の離間距離をおいて覆う透光性のカバー部材４と、前記発光素子２２とカバー部材４との間に介在され、複数の発光素子２２と対向する領域が他の領域に比較して光の透過率が低く形成されている透過率制御手段５とを備える照明装置である。【選択図】図１
2012104476.tif 000002
【特許請求の範囲】
【請求項１】
略サークル状に配置された複数の発光素子を有する光源部と；
この発光素子から出射される光が向けられるとともに、前記複数の発光素子を所定の離間距離をおいて覆う透光性のカバー部材と；
前記発光素子とカバー部材との間に介在され、複数の発光素子と対向する領域が他の領域に比較して光の透過率が低く形成されている透過率制御手段と；
を具備することを特徴とする照明装置。
【請求項２】
前記略サークル状に配置された複数の発光素子において、隣接する発光素子間の平均離間距離は、発光素子とカバー部材との離間距離より小さいことを特徴とする請求項１に記載の照明装置。
【請求項３】
前記透過率制御手段は、複数の発光素子が配置された略サークル状の中心を原点とする周方向の透過率の変化がほとんどなく、半径方向の透過率が変化していることを特徴とする請求項１又は請求項２に記載の照明装置。
【請求項４】
略サークル状に配置された複数の発光素子を有する光源部と；
この発光素子から出射される光が向けられるとともに、前記複数の発光素子を所定の離間距離をおいて覆う透光性のカバー部材と；
前記発光素子とカバー部材との間に介在され、前記複数の発光素子の配置に沿って複数の発光素子を覆うとともに、発光素子から出射される光を前記略サークル状の中心を原点とする半径方向へ主として拡散するレンズ部材と；
を具備することを特徴とする照明装置。
【請求項５】
略サークル状に配置された複数の発光素子を有する光源部と；
前記複数の発光素子の配置に沿って複数の発光素子を覆うとともに、発光素子から出射される光の出射方向に離間し、かつ前記略サークル状の中心を原点とする半径方向へ延出する導光部を備えて発光素子から出射される光を拡散するレンズ部材と；
を具備することを特徴とする照明装置。
【請求項６】
前記発光素子から出射される光が向けられるとともに、複数の発光素子を所定の離間距離をおいて覆う透光性のカバー部材を備え、前記レンズ部材は、発光素子とカバー部材との間に介在されていることを特徴とする請求項５に記載の照明装置。
【請求項７】
前記レンズ部材の少なくとも一部の導光部は、前記照明装置のカバー部材としての機能を兼用していることを特徴とする請求項５に記載の照明装置。
【請求項８】
前記レンズ部材の導光部は前記略サークル状の中心を原点とする半径方向に拡がっており、前記レンズ部材の外径をφO、内径をφｉ、前記略サークル状に配置された複数の発光素子の径をφＬとするとき、
（３φO＋φｉ）／４≧φＬ≧（φO＋３φｉ）／４
となる薄い円盤状であることを特徴とする請求項５に記載の照明装置。
【発明の詳細な説明】
【技術分野】
【０００１】
本発明の実施形態は、光源としてＬＥＤ等の指向性の高い発光素子を用いた照明装置に関する。
【背景技術】
【０００２】
従来、一般住宅用の照明器具においては、主光源に環状の蛍光ランプを用い、この環状の蛍光ランプの下方側を覆うようにカバー部材（セード）を設けて、外観形状を丸形に構成するものが普及している。
【０００３】
一方、近時、ＬＥＤ等の発光素子の高出力化、高効率化及び普及化に伴い、光源として発光素子を用いて長寿命化が期待できる照明器具が開発されている。光源として発光素子を用いて、従来のように環状の蛍光ランプを用いた照明器具と同様な態様で照明器具を構成するには、複数の発光素子をサークル状に配置し、これら発光素子から出射される光をカバー部材へ向けて透過させて所定の範囲に照射させる必要がある。
【０００４】
このように光源として複数の発光素子をサークル状に配置した場合には、従来の環状の蛍光ランプを用いた場合と同様な態様で構成でき、また、長寿命化や薄型化が期待できる照明器具を実現することができる。
【先行技術文献】
【特許文献】
【０００５】
【特許文献１】特開２００２−７５０３０号公報
【特許文献２】特許第４４７９８０５号公報
【非特許文献】
【０００６】
【非特許文献１】シャープ／ＬＥＤシーリングライト［平成２２年１０月５日検索］（http://www.sharp.co.jp/corporate/news/100819-a-2.html）
【発明の概要】
【発明が解決しようとする課題】
【０００７】
しかしながら、光源としてＬＥＤ等の発光素子を用いると、発光素子はその出射光の指向性が強いため、カバー部材の輝度が均一化されにくいという問題が生じる。
【０００８】
本発明は、上記課題に鑑みなされたもので、複数の発光素子をサークル状に配置したものにおいて、カバー部材の輝度の均一化を図ることが可能な照明装置を提供することを目的とする。
【課題を解決するための手段】
【０００９】
本発明の実施形態による照明装置は、略サークル状に配置された複数の発光素子を有する光源部と、この発光素子から出射される光が向けられるとともに、前記複数の発光素子を所定の離間距離をおいて覆う透光性のカバー部材と、前記発光素子とカバー部材との間に介在され、複数の発光素子と対向する領域が他の領域に比較して光の透過率が低く形成されている透過率制御手段とを備えている。
【発明の効果】
【００１０】
本発明の実施形態によれば、複数の発光素子をサークル状に配置したものにおいて、カバー部材の輝度の均一化を図ることが可能な照明装置を提供することができる。
【図面の簡単な説明】
【００１１】
【図１】本発明の第１の実施形態に係る照明装置を示す断面図である。
【図２】同照明装置における光源部にレンズ部材を組合わせた状態を示す平面図である。
【図３】同照明装置における光源部を示す平面図である。
【図４】同照明装置における光源部にレンズ部材を組合わせた状態の一部を断面で示す斜視図である。
【図５】図２中、Ｘ−Ｘ線に沿って示す断面図である。
【図６】同照明装置における透過反射層のパターンを模式的に示す平面図である。
【図７】同照明装置における透過反射層を部分的に示す模式的断面図である。
【図８】同照明装置におけるレンズ部材の別の実施形態を示す図５に相当する断面図である。
【図９】同じく、レンズ部材の別の実施形態を示す図５に相当する断面図である。
【図１０】本発明の第２の実施形態に係る照明装置を示す図２に相当する平面図である。
【図１１】同照明装置における光源部を示す平面図である。
【図１２】図１０中、Ｘ−Ｘ線に沿って示す断面図である。
【図１３】本発明の第３の実施形態に係る照明装置を示す断面図である。
【図１４】本発明の第４の実施形態に係る照明装置を示す断面図である。
【図１５】本発明の第５の実施形態に係る照明装置を示す斜視図である。
【図１６】同照明装置において、カバー部材及びレンズ部材を取外して示す平面図である。
【図１７】同照明装置の背面側を示す斜視図である。
【図１８】同照明装置を天井面に取付けた状態を示す断面図である。
【図１９】同照明装置において、発光素子とレンズ部材の配置及び寸法関係を示す説明図である。
【図２０】レンズ部材における光の進行状態を模式的に示す断面図である。
【図２１】レンズ部材の一部を示す模式的拡大図である。
【図２２】（ａ）及び（ｂ）は、レンズ部材の他の形態における一部を示す模式的拡大図である。
【図２３】本発明の第６の実施形態に係る照明装置を天井面に取付けた状態で示す断面図である。
【図２４】本発明の第７の実施形態に係る照明装置を天井面に取付けた状態で示す断面図である。
【図２５】本発明の第８の実施形態に係る照明装置を天井面に取付けた状態で示す断面図である。
【図２６】レンズ部材における光の進行状態を模式的に示す断面図である。
【図２７】本発明の第９の実施形態に係る照明装置を天井面に取付けた状態で示す断面図である。
【図２８】本発明の第１０の実施形態に係る照明装置を天井面に取付けた状態で示す断面図である。
【発明を実施するための形態】
【００１２】
以下、本発明の第１の実施形態について図１乃至図７を参照して説明する。各図においてリード線等による配線接続関係は省略して示している。なお、同一部分には同一符号を付し、重複した説明は省略する。
【００１３】
本実施形態の照明装置は、器具取付面に設置された引掛けシーリングボディに取付けられて使用される形式であり、略サークル状に配置された複数の発光素子を有する光源部から放射される光によって室内の照明を行うものである。
【００１４】
図１において、照明装置は、本体１と、光源部２と、レンズ部材３と、カバー部材４と、透過率制御手段５と、反射板６と、点灯装置７とを備えている。また、器具取付面としての天井面Ｃに設置された引掛けシーリングボディＣｂに電気的かつ機械的に接続されるアダプタＡを備えている。このような照明装置は、丸形の円形状の外観に形成され、前面側を光の照射面とし、背面側を天井面Ｃへの取付面としている。
本体１は、冷間圧延鋼板等の金属材料の平板から円形状に形成されており、略中央部にアダプタＡが挿通するための開口が形成されている。
【００１５】
光源部２は、図２乃至図４の参照を加えて説明するように、基板２１と、この基板２１に実装された複数の発光素子２２とを備えている。基板２１は、所定の幅寸法を有して略サークル状に形成されていて、絶縁材であるガラスエポキシ樹脂の平板からなり、表面側には銅箔によって配線パターンが形成されている。また、配線パターンの上、つまり、基板２１の表面には反射層として作用する白色のレジスト層が施されている。なお、基板２１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
【００１６】
発光素子２２は、ＬＥＤであり、表面実装型のＬＥＤパッケージである。このＬＥＤパッケージがサークル状の基板２１の周方向に沿って、隣接する発光素子２２間が略等間隔の離間距離Ｓをおいて略サークル状に並べられて複数個、具体的には２０個実装されて配置されている。ＬＥＤパッケージは、概略的にはセラミックスで形成された本体に配設されたＬＥＤチップと、このＬＥＤチップを封止するエポキシ系樹脂やシリコーン樹脂等のモールド用の透光性樹脂とから構成されている。
【００１７】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００１８】
なお、ＬＥＤは、ＬＥＤチップを直接基板２１に実装するようにしてもよく、また、砲弾型のＬＥＤを実装するようにしてもよく、実装方式や形式は、格別限定されるものではない。
【００１９】
このように構成された光源部２は、基板２１の裏面側が本体１の内面側に密着するように例えば、ねじ等の固定手段によって取付けられている。したがって、基板２１は、本体２１と熱的に結合され、基板２１からの熱が裏面側から本体１に伝導するようになっている。
【００２０】
レンズ部材３は、図１、図２、図４及び図５に示すように、例えば、アクリル樹脂等の透明合成樹脂からなり、前記発光素子２２の配置に沿って略サークル状に形成されていて、発光素子２２を覆うように基板２１に配設されている。
【００２１】
また、レンズ部材３は、図４及び図５に代表して示すように、略サークル状の内周側部分３１と外周側部分３２とを有していて、断面形状が左右対称のバタフライ形状に形成されて全周に亘って一定の形状となっている。さらに、幅方向の中央部であって、前面側（図４中、上側）及び背面側（図４中、下側）にはＶ字状の溝３３、３４が円周方向に沿って形成されている。したがって、背面側のＶ字状の溝３４は、複数の発光素子２２と対向して配置されるようになっており、換言すれば、複数の発光素子２２は、Ｖ字状の溝３４内に収められる状態となっている。
【００２２】
このように構成されたレンズ部材３によれば、図５に示すように発光素子２２から出射された光は、内周側部分３１と外周側部分３２とによって、主として円周上の内周方向及び外周方向に拡散されて放射される。すなわち、発光素子２２から出射された光は、発光素子２２が配置されたところのサークル状の中心を原点とする半径方向へ主として拡散して放射されるようになる。
【００２３】
なお、略サークル状に形成されたレンズ部材３は、例えば、半円形状に２分割されたものを組合わせてサークル状に形成してもよいし、３分割又は４分割されたものを組合わせてサークル状に形成してもよく、その形成方法は適宜選択し得る。
【００２４】
図１に示すように、カバー部材４は、アクリル樹脂等の透光性を有し、乳白の拡散性を備えた材料から形成されており、平坦状に形成された円形状のベース部４１と、このベース部４１の外周から斜め内周方向に延出した側縁部４２とを備えている。
【００２５】
そして、カバー部材４は、光源部２を含めた本体１の前面側を覆うように本体１の外周縁部に取付けられるようになっており、このカバー部材４の取付状態においては、カバー部材４と発光素子２２とは、所定の離間距離Ｈをおいて配設されるようになる。
【００２６】
透過率制御手段５は、本実施形態では、透過反射層であり、この透過反射層が前記カバー部材４におけるベース部４１の内面側及び側縁部４２の内面側に形成されている。この透過反射層は、光源部６、すなわち、発光素子２２から出射される光がカバー部材４を透過して外方に照射される場合に、光の透過率を制御してカバー部材４の輝度むらを抑制し、輝度の均一性を確保する機能を有している。
【００２７】
透過率制御手段５は、具体的には、図６及び図７に示すような透過反射層によって構成されている。図６は、カバー部材４のベース部４１の内面側に形成された透過反射層のパターンを模式的に示す平面図である。図７は、透過反射層を部分的に示す模式的断面図である。
【００２８】
透過反射層は、微細な透過領域５１と反射領域５２とがパターニングされて形成されているものであり、図６においては、透過領域５１を白色で示し、反射領域５２を暗部で示している。したがって、白色で示す透過領域５１は、光の透過率が高い領域であり、暗部で示す反射領域５２は、光の透過率が低い領域となっている。
【００２９】
そして、図６に示すように、円形状に形成された透過反射層の中央部から放射状に透過領域５１と反射領域５２とが網目状に交互に繰り返すように形成されている。また、透過率については、中央部の領域は、中心から漸次透過率が低くなり、この中央部の領域から半径方向の外周に向かう中間部の領域は、透過率が低く、さらに、この中間部の領域から外周に向かう外周部の領域は、漸次透過率が高くなるようにパターン化されている。つまり、半径方向の透過率が変化するように形成されている。
【００３０】
図６に示す範囲Ａにおける周方向の領域が前記中間部の領域であり、この中間部の領域が他の中央部の領域や外周部の領域に比較して相対的に透過率が低くなるように形成されている。また、これら透過率は、周方向については、ほとんど変化が生じないように形成されている。
【００３１】
さらに、図７に示すように、より詳しくは、透過反射層は、ホールからなる透過率が高い透過領域５１と、透過率が低い反射領域５２の連続した繰り返しからなっており、この繰り返しの間隔寸法Ｄは、カバー部材４の最外表面から透過反射層までの間隔寸法Ｔより小さく、Ｄ＜Ｔの関係となっている。具体的には、Ｄ＝１ｍｍ、Ｔ＝１．８ｍｍである。このような寸法関係によって、発光素子２２の点灯時、透過反射層のパターンがカバー部材４を通じて外方から視認されるのを抑制することが可能となる。
なお、この透過反射層は、スクリーン印刷によって形成するのが好適であるが、形成方法は格別限定されるものではない。
【００３２】
以上のように、透過率制御手段５は、複数の発光素子２２が配置された略サークル状の中心を原点とする周方向の透過率の変化がほとんどなく、半径方向の透過率が変化するように形成されている。そして、透過率が低い中間部の領域は、サークル状に配置された複数の発光素子２２と対向するようになっている。なお、透過率の変化は、漸次変化するように構成してもよいし、また、段階的に変化するようにしてもよく、その変化の態様は特段限定されるものではない。さらに、透過反射層のパターンや透過率は、適宜設計することができる。
【００３３】
加えて、カバー部材４の側縁部４２の内面側に形成された透過反射層によって透過率を制御し、例えば、透過率が高くなるように形成することにより、天井面側を明るく照射することが可能となる。
【００３４】
反射板６は、図１に示すように、冷間圧延鋼板等の金属材料の平板から傾斜状の反射面６１を有する円形状に形成されており、略中央部にアダプタＡを操作するための開口が形成されている。したがって、発光素子２２から出射される一部の光は、反射面６１によって前面側に反射され有効に利用されるようになる。
【００３５】
点灯装置７は、アダプタＡが挿通する挿通口を有するアダプタガイド８の周囲に配設されている。点灯装置７は略円筒状のケースと、このケース内に取付けられて収容された回路基板と、この回路基板に実装された回路部品とを備えている。
【００３６】
この点灯装置７は、アダプタＡ側が電気的に接続されて、アダプタＡを介して商用交流電源に接続される。したがって、点灯装置７は、この交流電源を受けて直流出力を生成し、リード線を介してその直流出力を発光素子２２に供給し、発光素子２２を点灯制御するようになっている。
次に、照明装置の天井面Ｃへの取付状態について、図１を参照して説明する。なお、アダプタＡから導出される電源コードの図示は省略している。
【００３７】
図１に示すように、天井面Ｃに引掛けシーリングボディＣｂが設置されている。また、この引掛けシーリングボディＣｂには、アダプタＡが電気的かつ機械的に接続されている。この状態から図示矢印で示すように、器具本体を取付部としてのアダプタガイド８の係合口をアダプタＡに合わせながら、アダプタＡの係止部Ａ1がアダプタガイド８の係合口に確実に係合するまで器具本体を下方から手で押し上げて取付け操作を行う。
【００３８】
また、器具本体を取外す場合には、カバー部材４を取外し、アダプタＡに設けられているレバーを操作してアダプタＡの係止部Ａ1の係合を解くことにより取外すことができる。
【００３９】
照明装置の天井面Ｃへの取付状態において、点灯装置７に電力が供給されると、基板２１を介して発光素子２２に通電され、各発光素子２２が点灯する。発光素子２２から出射された光は、レンズ部材３によって半径方向へ拡散されるとともに、前面側へ放射される。前面側へ放射された光は、透過制御手段５としての透過反射層によって制御され、カバー部材４を透過して外方に照射される。
【００４０】
この場合、発光素子２２から出射される指向性の強い光は、レンズ部材によって半径方向へ拡散されるので、カバー部材４の輝度を均一化する効果を奏することができる。また、サークル状に配置された複数の発光素子２２と対向する透過反射層の領域は、透過率が低くなるように形成されているので、発光素子２２から直進する光の透過率を低下させて拡散するように作用させることができ、カバー部材４の輝度むらを抑制して均一化を図ることが可能となる。
【００４１】
さらに、複数の発光素子２２において、隣接する発光素子２２間の平均離間距離Ｓと、カバー部材４と発光素子２２との離間距離Ｈとの関係は、平均離間距離Ｓが離間距離Ｈより小さく、Ｓ＜Ｈの関係となっている。この距離関係を確保することによってカバー部材４の主として周方向の輝度むらが発生しにくくすることができ、輝度の均一化を一層効果的に達成することが可能となる。
【００４２】
また、透過率制御手段５は、周方向の透過率の変化がほとんどなく、半径方向の透過率が変化するように形成されているので、カバー部材４の取付時等における周方向、すなわち、回転方向の位置ずれに対して透過率がほとんど影響することがなく、カバー部材４における輝度の安定化が可能となる。
発光素子２２の点灯中は熱が発生する。各発光素子２２から発生する熱は、基板２１の裏面側から本体１に伝導され、本体１の広い面積で効果的に放熱される。
【００４３】
次に、図８及び図９を参照してレンズ部材の別の実施形態について説明する。図８及び図９は、図５に相当する断面図である。なお、上記実施形態と同一又は相当部分には同一符号を付し重複した説明は省略する。
【００４４】
図８に示す実施形態においては、サークル状の基板２１に、略サークル状に発光素子２２を２列に亘って配列したものであり、レンズ部材４を発光素子２２の配置に沿って略サークル状に形成し、２列の発光素子列を覆うようにしたものである。
【００４５】
このように発光素子２２を複数列に亘って配置した場合においても、レンズ部材４を適用することにより、発光素子２２から出射される光を半径方向に拡散させて放射することが可能となる。
【００４６】
図９に示す実施形態は、前記図８に示した実施形態と略同様な構成であるが、Ｖ字状の溝３４が発光素子２２に対して非対称に形成されている。このような構成によって内周側に向かう拡散効果と外周側に向かう拡散効果とを異なるものとすることができ、本実施形態では、内周側に向かう拡散効果を外周側に向かう拡散効果よりも大きなものとすることが可能となる。また、図９では、発光素子２２側のＶ字状の溝３４を非対称に形成したが、カバー部材４側のＶ字状の溝３３を非対称に形成してもよい。また、２列の発光素子列に対してそれぞれ相反する方向に拡散効果を強めるように２列で異なる非対称な形状としてもよい。
【００４７】
次に、本発明の第２の実施形態について図１０乃至図１２を参照して説明する。なお、第１の実施形態と同一又は相当部分には同一符号を付し、重複した説明は省略する。
【００４８】
本実施形態は、本体１の内面側に、複数の発光素子２２を実装した略長方形状の４枚の基板２１を四角形状に配設したものである。基板２１には複数の発光素子２２が略直線状に並べられて配置されている。したがって、複数の発光素子２２は、多角形状の略サークル状に配置されている。
【００４９】
図１０及び図１２に示すように、レンズ部材３は、基板２１と同様に長方形状に形成されていて、発光素子２２の配置に沿って発光素子２２を覆うように基板２１に配設されている。具体的には、各発光素子２２に対応して背面側（図１２中、下側）にはＶ字状の溝３４が形成されており、この溝３４内に発光素子２２が配置されるようになっている。
【００５０】
ここで、図１０に示すように、Ｖ字状の溝３４は、平面的に見ると略長方形状に形成されており、この平面的に略長方形状の各溝３４は半径方向の線と直交する方向に形成されて配設されている。
【００５１】
したがって、このように構成されたレンズ部材３によれば、発光素子２２から出射された光は、主として円周上の内周方向及び外周方向に拡散されて放射される。すなわち、発光素子２２から出射された光は、発光素子２２が配置されたところのサークル状の中心を原点とする半径方向へ主として拡散して放射されるようになる。
【００５２】
続いて、本発明の第３の実施形態について図１３を参照して説明する。なお、第１の実施形態と同一又は相当部分には同一符号を付し、重複した説明は省略する。
【００５３】
本実施形態では、透過率制御手段５としての透過反射層を専用の基材４Ａに形成したものであり、この基材４Ａを光源部６とカバー部材４との間に所定の離間距離をおいて配設したものである。基材４Ａは、透明のシート部材で形成されているが、カバー部材４と同様に、透光性を有し、乳白の拡散性を備えた材料から形成してもよい。
【００５４】
このような構成によれば、カバー部材４と透過反射層とが離間しているので、透過反射層のパターンが多少粗雑であってもカバー部材４の輝度むらを生じることがなく、透過反射層を安価に形成することが可能となる。
次に、本発明の第４の実施形態について図１４を参照して説明する。なお、第１の実施形態と同一又は相当部分には同一符号を付し、重複した説明は省略する。
【００５５】
本実施形態では、前記第３の実施形態と同様に、透過率制御手段５としての透過反射層を専用の基材４Ｂに形成したものであるが、この基材４Ｂは光源部６に対応して、これを覆うように必要最小限の面積で構成するものである。なお、透過反射層の透過率は、適宜設計して対応することができる。
このような構成によれば、透過反射層の面積縮小分だけ多面取り効率を高めることができ、コスト的に有利にカバー部材４の輝度の均一性を図ることができる。
【００５６】
次に、本発明の第５の実施形態乃至第１０の実施形態について図１５乃至図２８を参照して説明する。以降の各実施形態は、レンズ部材によって発光素子から出射される光の拡散性を向上する構成を示している。なお、上記各実施形態と同一若しくは相当部分には同一符号を付し、重複した説明を省略又は簡略化する場合がある。
【００５７】
まず、第５の実施形態について図１５乃至図２２を参照して説明する。照明装置は、本体１と、光源部２と、レンズ部材３と、カバー部材４と、点灯装置７と、取付部としてのアダプタガイド８と、センター部材９と、間接光光源部１０とを備えている。また、装置取付面としての天井面Ｃに設置された引掛けシーリングボディＣｂに電気的かつ機械的に接続されるアダプタＡ（図１８参照）と赤外線リモコン送信器Ｒｃとを備えている。
【００５８】
図１６乃至図１８に示すように、本体１は、冷間圧延鋼板等の金属材料の平板から円形状に形成された熱伝導性を有するシャーシであり、略中央部に、取付部としてのアダプタガイド８と対応する円形状の開口１１が形成されている。
【００５９】
開口１１の外周側には、四角形状で角部がＲ形状をなし、背面側へ突出した突出部１２が形成されている。また、装置本体１の外周側には、背面側に突出、換言すれば、前面側に凹部を形成する円形環状の突出部１３が形成されている。
【００６０】
突出部１３によって形成される凹部には、カバー部材４が着脱可能に取付けられるカバー受金具４５が配置されている。これら突出部１２、１３は、シャーシの強度を補強する機能や放熱面積を増加する機能を有している。
【００６１】
光源部２は、図１６及び図１８に示すように、基板２１と、この基板２１に実装された複数の発光素子２２とを備えている。基板２１は、所定の幅寸法を有した略円弧状の４枚の基板２１が繋ぎ合わされるように配設されて全体として略サークル状の円形状に形成されている。つまり、全体として略サークル状に形成された基板２１は、４枚の分割された基板２１から構成されている。
【００６２】
このように分割された基板２１を用いることにより、基板２１の分割部で熱的収縮を吸収して基板２１の変形を抑制することができる。なお、複数に分割された基板２１を用いることが好ましいが、略サークル状に一体的に形成された一枚の基板を用いるようにしてもよい。
【００６３】
発光素子２２は、ＬＥＤであり、表面実装型のＬＥＤパッケージである。このＬＥＤパッケージが複数個サークル状の基板２１の周方向に沿って、隣接する発光素子２２間が略等間隔の離間距離をおいて略サークル状に配置されている。
【００６４】
ＬＥＤパッケージには、発光色が電球色（Ｌ）のものと昼光色（Ｄ）のものとが用いられており、これらが円周上に略等間隔を空けて交互に並べられて配設されている。ＬＥＤチップは、青色光を発光するＬＥＤチップである。透光性樹脂には、蛍光体が混入されており、電球色（Ｌ）、昼光色（Ｄ）の白色系の光を出射できるようにするために、主として青色の光とは補色の関係にある黄色系の光を放射する黄色蛍光体や赤み成分を補うため赤色蛍光体が用いられている。
【００６５】
このように構成された光源部２は、基板２１が本体１の前面側であって開口１１の周囲に位置して、発光素子２２の実装面が前面側、すなわち、下方の照射方向に向けられて配設されている。
【００６６】
図１８乃至図２１に示すように、光源部２の前面側には、レンズ部材３が配設されている。レンズ部材３は、例えば、ポリカーボネートやアクリル樹脂等の絶縁性を有する透明合成樹脂からなり、前記発光素子２２の配置に沿って略サークル状のドーナツ状に一体的に形成されていて、発光素子２２を覆うように基板２に配設されている。
【００６７】
詳しくは、レンズ部材３は、発光素子２２から出射される光の出射方向に離間し、つまり、前面側へ突出するような離間形成部３５を円周上に有し、この離間形成部３５から内周方向及び外周方向に水平状に延出する平坦状の導光部３６を有している。換言すれば、導光部３６は、略サークル状の中心を原点とする半径方向へ延出するように形成されていて薄い円盤状をなしている。
【００６８】
このようなレンズ部材３は、断面形状が略左右対称の形状に形成されて全周に亘って一定の形状となっている。さらに、発光素子２２と対向する離間形成部３５の内側には、略Ｖ字状の溝３４が円周方向に沿って形成されており、また、この溝３４と対向するように前面側には、Ｖ字状の溝３３が円周方向に沿って形成されている。したがって、溝３４内には、複数の発光素子２２が収められて覆われるようになっている。
【００６９】
また、導光部３６の背面側は、シボ加工が施されている。このシボ加工は、図２１に示すように、例えば、微細な凹凸３７によって梨地に形成されている。この凹凸３７によって、導光部３６に導光された光は、図示矢印で例示するように、屈折方向が変更され、様々な方向に拡散されて前面側へ照射されるようになる。
【００７０】
なお、図２１に示すシボ加工の凹凸３７における凹部は、略半球形状に形成する場合であるが、この形状は格別限定されるものではない。例えば、図２２（ａ）に示すように凹凸３７を波状の形状に形成するようにしてもよいし、さらには、一定の規則的な形状によらず、不規則的な形状によって形成するようにしてもよい。
【００７１】
さらにまた、前記シボ加工に代えて図２２（ｂ）に示すように、導光部３６の背面側に透過反射層３８を形成するようにしてもよい。透過反射層３８は、例えば、スクリーン印刷によって形成され、微細な透過領域３８ａと反射領域３８ｂとがパターニングされて形成されているものであり、透過領域３８ａは、光の透過率が高い領域であり、反射領域３８ｂは、光の透過率が低い領域である。
【００７２】
この透過反射層３８によって、導光部３６に導光された光は、図示矢印で例示するように、反射領域３８ｂで反射されて屈折方向が変更され、様々な方向に拡散されて前面側へ照射されるようになる。
【００７３】
次に、発光素子２２の配置と、レンズ部材３の配置及び寸法関係について図１９を参照して説明する。図１９は、発光素子２２とレンズ部材３との配置を平面図及び断面図との関係によって模式的に示す説明図である。以下は、発光素子２２から出射される光をレンズ部材３によって良好に拡散することができる好ましい配置及び寸法関係を示している。
【００７４】
図に示すように、略サークル状の円周上に配置された発光素子２２の当該円周の直径寸法をφＬとする。また、レンズ部材３の外径寸法をφＯとし、内径寸法をφｉとする。
【００７５】
レンズ部材３の幅寸法をＷ１とすると、Ｗ１は、Ｗ１＝（φO−φｉ）／２と表わすことができる。発光素子２２をレンズ部材３の幅寸法Ｗ１における中央部に配置し、内周方向及び外周方向にそれぞれ延出する導光部３６の幅寸法を均等とし、発光素子２２の配置位置を中心として所定の配置領域を領域Ａとすると、領域Ａの幅寸法は、Ｗ１／２で表わされる。
【００７６】
また、領域Ａから内周方向及び外周方向におけるレンズ部材３の幅寸法は、それぞれＷ１／４で表わすことができる。さらに、発光素子２２のサークル状の中心から領域Ａの内周側までの幅寸法をＷ２とすると、Ｗ２＝（φO＋３φｉ）／８であり、発光素子２２のサークル状の中心から領域Ａの外周側までの幅寸法をＷ３とすると、Ｗ３＝（３φO＋φｉ）／８に設定されている。
【００７７】
このような寸法関係において、発光素子２２のサークル状の中心からの半径φＬ／２は、（３φO＋φｉ）／８≧φＬ／２≧（φO＋３φｉ）／８、すなわち（３φO＋φｉ）／４≧φＬ≧（φO＋３φｉ）／４（式１）の関係を満足するように設定されている。
【００７８】
以上のように（式１）を満足するような配置及び寸法関係とすることにより、バランスよく、発光素子２２から出射される光をレンズ部材３によって良好に拡散でき、拡散性を向上してレンズ部材３の輝度の均一化、ひいてはカバー部材４の輝度の均一化の実現が可能となる。因みに、レンズ部材３が中央部に円形状の孔が形成されない円盤状の場合には、その内径寸法φｉは、φｉ＝０となる。
【００７９】
カバー部材４は、アクリル樹脂等の透光性を有し、乳白色を呈する拡散性を備えた材料から略円形状に形成されており、中央部には円形状の開口４１が形成されている。また、カバー部材４の外周部には、セード化粧枠４ａが取付けられていて、このセード化粧枠４ａは、アクリル樹脂等からなる透明材料から形成されている。
【００８０】
そして、カバー部材４は、光源部２を含めた本体１の前面側を覆うように発光素子２２とは所定の離間距離を置いて本体１の外周縁部に着脱可能に取付けられるようになっている。具体的には、カバー部材４を回動することによって、カバー部材４に設けられたカバー取付金具４４を、本体１の突出部１３によって形成された凹部に設けられたカバー受金具４５に係合することにより取付けられる。
【００８１】
また、カバー部材４を取外す場合には、カバー部材４を取付時とは反対方向に回動して、カバー取付金具４４とカバー受金具４５との係合を解くことにより、取外すことができる。
【００８２】
中央カバー４６は、透明のアクリル樹脂等の材料から円形状に形成されている。この中央カバー４６は、カバー部材４の開口４１に対応し、センター部材９の前面壁に取付けられて、センター部材９の開口９１を着脱可能に覆って閉塞するように配設される。また、中央カバー４６には、後述する光センサの受光窓対向する透過部４６ａが形成されている。
【００８３】
点灯装置７は、図１８に示すように、回路基板と、この回路基板に実装された制御用ＩＣ、トランス、コンデンサ等の回路部品とを備えている。回路基板は、中央部の周囲を囲むように板状に形成されていて、その表面側に回路部品が実装されている。点灯装置７は、直流出力を発光素子２２に供給し、発光素子２２を点灯制御するようになっている。
【００８４】
このような点灯装置７は、図１７の参照を加えて示すように、点灯装置カバー７５に取付けられ覆われて、装置本体１の背面側に配置されるようになる。この場合、回路基板は、回路部品が前面側（図示上、下方側）に向けられて取付けられる。
【００８５】
点灯装置カバー７５は、冷間圧延鋼板等の金属材料によって略四角形の短筒状に形成され、側壁７５ａは、前面側に向かって拡開するように傾斜状をなしており、背面壁７５ｂの中央部には、開口７５ｃが形成されている。
この点灯装置カバー７５は、前面側のフランジがシャーシの突出部１２に載置され、ねじ止めされて取付けられる。
【００８６】
また、点灯装置カバー７５の背面側には、弾性部材７６が取付けられている。弾性部材７６は、間接光光源部１０の取付位置に対応して、その近傍に取付けられている。弾性部材７６は、照明装置が装置取付面としての天井面Ｃに取付けられた状態において、天井面Ｃとの間に弾性変形を伴って介在するように配設される部材であり、照明装置を天井面Ｃに確実に保持する作用をなしている。
【００８７】
取付部としてのアダプタガイド８は、アダプタＡが挿通し係合する部材であり、照明装置を天井面Ｃに取付けるための部材である。アダプタガイド８は、中央部には、アダプタＡが挿通し、係合する係合口８１が設けられている。このアダプタガイド８は、本体１の中央部に形成された開口１１に対応して配設されている。
【００８８】
センター部材９は、図１８に示すように、ＰＢＴ樹脂等の合成樹脂材料で作られ、略短円筒状に形成されており、中央部に引掛けシーリングボディＣｂに対向する開口９１を有している。また、開口９１の周囲には、環状の空間部９２が形成されていて、この空間部９２には、光センサ９３が配設されるようになっている。さらに、センター部材９の前面壁には、光センサ９３の受光部と対向する受光窓９４が形成されている。
【００８９】
光センサ９３は、基板に実装され、その受光部が受光窓９４に対向するようにセンター部材９の空間部９２内に配設され取付けられている。光センサ９３は、照度センサであり、フォトダイオード等のセンサ素子からなっていて、周囲の明るさを検知して検出信号を出力するように動作する。これにより、周囲が明るい場合には、光源部２、すなわち、発光素子２２を調光（減光）して点灯するように制御する。
【００９０】
間接光光源部１０は、本体１の背面側に配設されていて、主として天井面を明るく照らす機能を有している。図１７及び図１８に示すように、間接光光源部１０は、中央部の周囲に位置して複数個配設されており、基板１０１と、この基板１０１に実装された複数の発光素子１０２とを備えている。
基板１０１は、略長方形状の平板に形成されており、発光素子１０２は、この基板１０１の長手方向に沿って直線状に並べられて実装されている。
【００９１】
この発光素子１０２が実装された基板１０１が前記点灯装置カバー７５の側壁７５ａにおける４箇所に取付けられている。また、基板１０１の取付部をなす側壁７５ａは、前面側に向かって拡開する傾斜状に形成されているため、基板１０１は、斜め上方、つまり、天井面方向に向けられることとなり、発光素子１０２から出射される光は、天井面方向に向かって効果的に照射されるようになる。
さらに、各間接光光源部１０は、断面が背面側へ向かって拡開するような傾斜状に形成された透光性のカバー１０３に覆われるようになっている。
【００９２】
発光素子１０２は、前記光源部２と同様に、ＬＥＤであり、表面実装型のＬＥＤパッケージである。この発光素子１０２は、点灯装置７に接続されて点灯制御されるようになっている。
【００９３】
赤外線リモコン送信器Ｒｃは、例えば、周波数３８ｋＨｚのパルス状の特定のコード化された赤外線リモコン制御信号を送信するもので、例えば、モード切替えボタン、全光点灯ボタン、調光点灯ボタン、常夜灯ボタンや消灯ボタン等が設けられている。このリモコン送信器Ｒｃを操作することによって光源部２及び間接光光源部１０の照明状態を制御することができる。
【００９４】
次に、照明装置の天井面Ｃへの取付状態について図１８を参照して説明する。まず、予め天井面Ｃに設置されている引掛けシーリングボディＣｂにアダプタＡを電気的かつ機械的に接続する。照明装置の中央カバー４６を取外した状態において、アダプタガイドの係合口８１をアダプタＡに合わせながら、アダプタＡの係止部Ａ1がアダプタガイドの係合口８１に確実に係合するまで本体１を弾性部材７６の弾性力に抗して下方から手で押し上げて取付け操作を行う。
次いで、中央カバー４６を取付け、引掛けシーリングボディＣｂに対向するセンター部材９の中央部の開口９１を覆って閉塞する。
【００９５】
また、照明装置を取外す場合には、中央カバー４６を取外し、センター部材９の開口９１を通じてアダプタＡに設けられているレバーを操作してアダプタＡの係止部Ａ1の係合を解くことにより取外すことができる。
【００９６】
照明装置の天井面Ｃへの取付状態において、点灯装置７に電力が供給されると、基板２１を介して発光素子２２に通電され、各発光素子２２が点灯する。図２０に代表して示すように、発光素子２２から出射される指向性の強い光は、レンズ部材３の離間形成部３５に放射され、離間形成部３５を通過して拡散され、さらに、導光部３６に入射した光は、全反射して導光部３６の全体に広がるとともに、背面側のシボ加工によって形成された微細な凹凸３７によって屈折方向が変更され、様々な方向に拡散されて主として前面側へ照射される。
【００９７】
さらに、レンズ部材３から照射される光は、カバー部材４を透過して拡散され前面側へ照射されるようになる。したがって、レンズ部材３の輝度の均一化、カバー部材４の輝度の均一化を図ることが可能となる。
【００９８】
これと同時に、間接光光源部１０に通電されると、各発光素子１０２が点灯し、発光素子１０２から斜め上方に出射された光は、透光性のカバー１０３を透過し、中央部の周囲から放射されるように、主として天井面に照射される。したがって、天井面が明るくなり、空間の明るさ感を向上させることができる。
次に、第６の実施形態について図２３を参照して説明する。なお、上記第５の実施形態と同一又は相当部分には同一符号を付し、重複した説明は省略する。
本実施形態においては、光源部２における基板２１に、半径の異なる略同心円の周上に２列に亘って発光素子２２を実装したものである。
【００９９】
したがって、レンズ部材３は、発光素子２２の２列の発光素子列の配置に沿って発光素子２２を覆うように基板２に配設されている。つまり、２列の発光素子２２を覆うように２条の離間形成部３５が形成されていて、この離間形成部３５から内周方向及び外周方向に水平状に延出する平坦状の導光部３６が一体化されて形成されている。
【０１００】
このような構成によれば、上記第５の実施形態と同様に、発光素子２２から出射される光は、レンズ部材３の離間形成部３５を通過して拡散され、さらに、導光部３６に入射した光は、屈折方向が変更され、様々な方向に拡散されて前面側へ照射される。
続いて、第７の実施形態について図２４を参照して説明する。なお、上記第５の実施形態と同一又は相当部分には同一符号を付し、重複した説明は省略する。
本実施形態においては、カバー部材を省略し、レンズ部材３によって光源部２の前面側を覆うようにしたものである。
【０１０１】
したがって、レンズ部材３の導光部３６は、外周方向には、本体１の外周部まで延出し、内周方向には、センター部材９の外周面まで延出して形成されている。また、センター部材９の開口９１は、中央カバー４６によって着脱可能に覆われて閉塞されるようになっている。なお、センター部材９を省略して構成することも可能である。
このような構成によれば、上記第５の実施形態が奏する効果に加え、カバー部材を省略したので、安価に構成でき、しかも薄型化が可能となる。
次に、第８の実施形態について図２５を参照して説明する。なお、上記第５の実施形態と同一又は相当部分には同一符号を付し、重複した説明は省略する。
【０１０２】
本実施形態においては、レンズ部材３における導光部３６を内周方向に延出させるようにして一体化し、つまり、レンズ部材３を中央部に孔を有しない略円盤状に形成したものである。したがって、センター部材９やアダプタＡと対向する中央部を含めてレンズ部材３の導光部３６によって覆われることとなる。
【０１０３】
このような構成によれば、図２６に示すように、発光素子２２から出射された光は、離間形成部３５を通過して拡散され、さらに、導光部３６に入射した光は、全反射して導光部３６の全体に広がるとともに、屈折方向が変更され、様々な方向に拡散されて前面側へ照射される。よって、暗部が生じやすい中央部を明るくすることができ、暗部の発生を抑制することが可能となる。
【０１０４】
なお、センター部材９を省略して構成することも可能である。センター部材９を設ける場合には、反射板としての機能を有することが好ましい。また、照明装置の天井面Ｃへの取付けや取外しにあたっては、例えば、点灯装置７側に対して本体１側を着脱可能とし、アダプタＡを操作等のため露出できるように構成することが望ましい。
続いて、第９の実施形態について図２７を参照して説明する。なお、上記第８の実施形態と同一又は相当部分には同一符号を付し、重複した説明は省略する。
【０１０５】
本実施形態においては、基本的に図２５に示す第８の実施形態におけるカバー部材を省略し、レンズ部材３によって光源部２の前面側を中央部を含めて覆うようにしたものである。
したがって、レンズ部材３の導光部３６は、外周方向には、本体１の外周部まで延出し、本体１の前面側における全面を覆うようになっている。
このような構成によれば、上記第８の実施形態が奏する効果に加え、カバー部材を省略したので、安価に構成でき、しかも薄型化が可能となる。
次に、第１０の実施形態について図２８を参照して説明する。なお、上記第５の実施形態と同一又は相当部分には同一符号を付し、重複した説明は省略する。
【０１０６】
本実施形態においては、レンズ部材３における導光部３６外周側を斜めに前面側方向に延出するようにしたものであり、この延出部に沿ってカバー部材４の外周部を形成したものである。
したがって、カバー部材４の外周部も明るくなり、カバー部材４の略全域の輝度を均一化でき、配光範囲を広くすることが可能となる。
【０１０７】
本発明は、上記各実施形態の構成に限定されることなく、発明の要旨を逸脱しない範囲で種々の変形が可能である。例えば、複数の発光素子を２列や３列の複数列に亘って略サークル状に配置する場合であってもよい。また、発光素子は、ＬＥＤや有機ＥＬ等の固体発光素子が適用できる。さらに、発光素子の個数は、特段限定されるものではない。
【符号の説明】
【０１０８】
１・・・本体、２・・・光源部、
３・・・レンズ部材、４・・・カバー部材、
５・・・透過率制御手段（透過反射層）、６・・・反射板、
７・・・点灯装置、８・・・取付部（アダプタガイド）、
９・・・センター部材、１０・・・間接光光源部、
２１・・・基板、２２・・・発光素子（ＬＥＤ）、
３５・・・離間形成部、３６・・・導光部、
Ａ・・・アダプタガイド、Ｃｂ・・・引掛けシーリングボディ、
Ｒｃ・・・赤外線リモコン送信器
【図１】
2012104476.tif 000003
【図２】
2012104476.tif 000004
【図３】
2012104476.tif 000005
【図４】
2012104476.tif 000006
【図５】
2012104476.tif 000007
【図６】
2012104476.tif 000008
【図７】
2012104476.tif 000009
【図８】
2012104476.tif 000010
【図９】
2012104476.tif 000011
【図１０】
2012104476.tif 000012
【図１１】
2012104476.tif 000013
【図１２】
2012104476.tif 000014
【図１３】
2012104476.tif 000015
【図１４】
2012104476.tif 000016
【図１５】
2012104476.tif 000017
【図１６】
2012104476.tif 000018
【図１７】
2012104476.tif 000019
【図１８】
2012104476.tif 000020
【図１９】
2012104476.tif 000021
【図２０】
2012104476.tif 000022
【図２１】
2012104476.tif 000023
【図２２】
2012104476.tif 000024
【図２３】
2012104476.tif 000025
【図２４】
2012104476.tif 000026
【図２５】
2012104476.tif 000027
【図２６】
2012104476.tif 000028
【図２７】
2012104476.tif 000029
【図２８】
2012104476.tif 000030